(57)【要約】【課題】  腰壁が汚れたり傷ついたりした場合でも簡単に腰壁パネルが取り替えることができる腰壁の提供。【解決手段】  支持板４の上部に載置され壁５前面に配置された腰壁パネル３の上端にて壁５前面に固定され腰壁１上端部を形成する腰見切縁を設けた腰壁であって、腰見切縁２は、パネル押さえ部２ｇを有するパネルキャップ２ｂを備え、パネル押さえ部２ｇは、腰壁パネル３を壁５前面に固定することにより、腰壁パネル３が汚れたり傷ついたりした場合でも簡単に取り替えることができるものである。【選択図】図１
2005336706.tif 000002
【特許請求の範囲】
【請求項１】
支持板の上部に載置され壁前面に配置された腰壁パネルの上端にて壁前面に固定され腰壁上端部を形成する腰見切縁を設けた腰壁であって、
前記腰見切縁は、パネル押さえ部を有するパネルキャップを備え、該パネル押さえ部は、前記腰壁パネルを壁前面に固定してなる腰壁。
【請求項２】
前記パネルキャップは、前記腰見切縁に脱着可能であることを特徴とする請求項１記載の腰壁。
【請求項３】
前記支持板は、前面上部より上方に延設されたパネル固定部を有し、該パネル固定部は、前記腰壁パネルを壁前面に固定するためのものであることを特徴とする請求項１又は請求項２記載の腰壁
【発明の詳細な説明】
【技術分野】
【０００１】
本発明は、腰壁パネルが汚れたり傷ついたりした場合でも簡単に取り替えることができる腰壁に関するものである。
【背景技術】
【０００２】
従来から、腰壁として、例えば、特開平９−３１０４７５号公報に示すものがある。この腰壁１０１は、支持板１１５の上部に載置され壁５前面に配置された腰壁パネル１０３の上端にて壁前面に固定され腰壁上端部を形成する腰見切縁を設けた腰壁であって、前面に凹又は凸型の係止受部を有し壁５の前面に固定される見切縁基材１１１と、後面に見切縁基材１１１の係止受部と係合する凸又は凹型の係合部を有し見切縁基材１１１の前面に固定される化粧部材１１２とからなるものである。
【０００３】
ところで、子供のいたずらペット等の引っ掻き傷等により腰壁パネルが傷ついた場合、或いは、周囲の雰囲気を変えることが簡単な操作にて、腰壁パネルを取り替えることができる腰壁への要望が高まってきている。上記構成による腰壁の場合、壁パネルは壁体に接着剤で固定されているため、壁パネルの交換には大掛かりな工事が必要であった。
【特許文献１】特開平９−３１０４７５号公報
【発明の開示】
【発明が解決しようとする課題】
【０００４】
本願発明は、上記背景技術に鑑みて発明されたものであり、その課題は、腰壁パネルが汚れたり傷ついたりした場合でも簡単に腰壁パネルが取り替えることができる腰壁を提供することである。
【課題を解決するための手段】
【０００５】
上記課題を解決するために、本願発明は、支持板の上部に載置され壁前面に配置された腰壁パネルの上端にて壁前面に固定され腰壁上端部を形成する腰見切縁を設けた腰壁であって、前記腰見切縁は、パネル押さえ部を有するパネルキャップを備え、該パネル押さえ部は、前記腰壁パネルを壁前面に固定するものである。
【０００６】
また、前記パネルキャップは、前記腰見切縁に脱着可能であることが好ましい。
【０００７】
また、前記支持板は、前面上部より上方に延設されたパネル固定部を有し、該パネル固定部は、前記腰壁パネルを壁前面に固定することが好ましい。
【発明の効果】
【０００８】
本願発明の腰壁において、腰壁パネルが簡単に交換できるので、子供のいたずらやペットの引っ掻き傷などで腰壁パネルが傷ついたり、汚れたりした場合でも簡単に腰壁パネルが取り替えることができる。
【発明を実施するための最良の形態】
【０００９】
図１及び図２は、請求項１から請求項３に対応した一実施形態の腰壁１である。図１（ａ）は本発明の実施形態に係る腰見切縁を用いた腰壁１を示す断面図、（ｂ）は腰壁パネルを取り替える場合の断面図である。図２は、腰壁１を有する壁前面の一例を示す斜視図である。この腰壁１は、腰見切縁２と、腰壁パネル３と支持板４と、を備えている。この実施形態の腰壁１は、図２に示すように、壁５前面における窓台辺りよりも下位に腰壁パネル３が固定されている。
【００１０】
腰見切縁２は、図１に示すように、見切縁基材２ａとパネルキャップ２ｂを有し、略帯板状に形成されている。
【００１１】
見切縁基材２ａは、その下部に腰見切縁２を固定するための固定部２ｄとパネルキャップ２ｂを係止するための嵌め込み固定部２ｅを有し、そして、固定ビス６により壁５に固定される。この見切縁基材２ａを形成する材料としては、例えば、ＭＤＦ、パーティクルボード、無垢材、合板等の木質材料が用いられる。なお、本発明では見切縁基材２ａをプラスチック等の成形品とすることも可能である。
【００１２】
パネルキャップ２ｂは、パネル押さえ部２ｇと係止爪２ｆとを有している。
【００１３】
パネル押さえ部２ｇは、腰壁パネル３の上部前面を壁５に固定するために押さえるものであり、パネルキャップ２ｂの下方に延設され、腰壁パネル３の上部を固定すると共に、腰見切縁２を壁５固定するための固定部２ｄにパネルキャップ２ｂと固定部２ｄとの間には隙間を設けてあり、固定ビス６を打ち込まれた場合、固定ビス６の頭を隠すことができるようになっている。
【００１４】
係止爪２ｆは、見切縁基材２ａの固定部２ｄに係止爪２ｆを嵌めこんで腰壁パネル３を固定するためのものである。
【００１５】
このように、パネルキャップ２ｂは、樹脂の嵌合により固定することで、繰り返し取り外しすることができる。
【００１６】
腰壁パネル３は、面ファスナー或いは粘着材で壁５に固定され、簡単な操作で、壁５から取り外しができるようになっている。
【００１７】
支持板４は、例えば、合板からなり、前面の上部より上方に延設されたパネル固定部４ａと、腰壁パネル３と略同じ厚みを有すると共に腰壁パネル３を支持する載置部４ｂと、を有し、腰壁パネル３は、腰壁パネル３の下端を載置部４ｂに支持された状態でパネル固定部４ａにより、壁５の前面の床近傍部に固定されている。
【００１８】
すなわち、この腰壁１は、腰壁パネル３の下端を載置部４ｂに支持された状態でパネル固定部４ａにより、壁５の前面の床近傍部に固定されており、この腰壁パネル３の上端にて腰見切縁２（パネルキャップ２ｂのパネル押さえ部２ｇ）が壁５前面に取付固定されて腰壁１が形成されている。
【００１９】
次に、該実施形態に係る腰壁１の施工方法について説明する。
【００２０】
まず、壁５前面の所定位置に固定された支持板４の載置部４ｂに腰壁パネル３をけんどん式に取り付ける。この場合、腰壁パネル３は、面ファスナー或いは粘着材で壁５に固定する。
【００２１】
そして、腰壁パネル３の上端に対して見切縁基材２ａの下端（固定部２ｄ）を当接又は近接させた状態で、この見切縁基材２ａを壁５に対して釘着、接着、又はこれらの併用等の固定手法により略水平尾に固定する。この場合、見切縁基材２ａが反りを有している場合であっても、この見切縁基材２ａは腰見切縁２の全体厚と比べて薄いので撓みに対する反発力は小さいものとなり、ゆえに上記のような固定手法による押しつけ圧により撓ませて壁５に沿わせるのが行い易いものとなる。次に、壁５に固定された見切縁基材２ａに対して、パネルキャップ２ｂの係止爪２ｆを嵌め込み固定部２ｅに係合させて嵌め込み、パネル押さえ部２ｇにて腰壁パネル３の上端を固定する。
【００２２】
次に、該実施形態に係る腰壁１の交換手順について説明する。
【００２３】
まず、パネルキャップ２ｂの下端（パネル押さえ部２ｇ）に指等をかけてパネルキャップ２ｂを取り外す。すると、面ファスナー又は粘着材等で固定された腰壁パネル３の上端が露出する。そして、腰壁パネル３の上端に指等をかけ、腰壁パネル３を上から徐々に壁５から外す。
【００２４】
そして、上述した逆の手順を経て新品の腰壁パネル３を壁に固定し、パネルキャップ２ｂを嵌合させる。
【００２５】
このように構成された腰壁１は、腰壁パネル３が簡単に交換できるので、子供のいたずらやペットの引っ掻き傷などで腰壁パネル３が傷ついたり、汚れたりした場合でも簡単に腰壁パネル３が取り替えることができる。
【００２６】
なお、図示はしないが、また、腰壁パネル３の下端には床との間において幅木を支持板４は隠蔽するように設ければ、見栄えがよくなる。また、図示はしないが、支持板４を腰壁パネル３と略同じ厚みをもった帯板状にすれば、幅木の上部で腰壁パネル３の下部を壁５に固定することもできる。
【図面の簡単な説明】
【００２７】
【図１】（ａ）本発明の第１の実施形態の腰壁の断面図、（ｂ）は同上の腰壁パネルの交換手順を示す断面図である。
【図２】同上の腰壁を有する壁前面の一例を示す斜視図である。
【図３】従来の特開平９−３１０４７５号公報に記載された腰壁の断面図である。
【符号の説明】
【００２８】
１      腰壁
２      腰見切縁
２ａ    見切縁基材
２ｂ    パネルキャップ
２ｇ    パネル押さえ部
３      腰壁パネル
４      支持板
４ａ    固定部
５      壁
【図１】
2005336706.tif 000003
【図２】
2005336706.tif 000004
【図３】
2005336706.tif 000005